(57)【要約】      （修正有）【課題】頬や顎下のたるみを引き上げ、且つ皺を伸ばしつつ、パックができ、同時に目尻の皺やたるみを引き上げつつパックすることができる美容マスクを提供する。【解決手段】伸縮性の材料にてシート状に形成さると共に、後頭部に巻きつける後頭部用留具と、鼻下から後頭部に位置する後頭部用帯部と、更に液体浸透防止素材にて形成された頬当部と、更に前記後頭部用留具と同様に伸縮性の材料にてシート状に形成され、且つ頭頂部に巻きつける頭頂部用留具と、顎下から頭頂部に位置する頭頂部用帯部と、前記頭頂部用帯部の目尻部において、前記頬当部と同様に液体浸透防止素材により凸状に形成された目尻当部を有する。且つ前記頭頂部用帯部をV字状に形成すると共に、前記後頭部用帯部と頬当部付近にて接合したマスク本体とで成す。【選択図】図１
0003158336.tif 000002
【実用新案登録請求の範囲】
【請求項１】
伸縮性の材料にてシート状に形成さると共に、後頭部に巻きつける後頭部用留具と、鼻下から後頭部に位置する後頭部用帯部と、更に液体浸透防止素材にて形成された頬当部と、更に前記後頭部用留具と同様に伸縮性の材料にてシート状に形成され、且つ頭頂部に巻きつける頭頂部用留具と、顎下から頭頂部に位置する頭頂部用帯部と、前記頭頂部用帯部の目尻部において、前記頬当部と同様に液体浸透防止素材により凸状に形成された目尻当部を有し、且つ前記頭頂部用帯部をV字状に形成すると共に、前記後頭部用帯部と頬当部付近にて接合したマスク本体とで成したことを特徴とする美容マスク。
【請求項２】
前記後頭部用留具及び頭頂部用留具は、面ファスナーとしたことを特徴とする請求項１記載の美容マスク。
【考案の詳細な説明】
【技術分野】
【０００１】
本考案は、顔のしわやたるみの進行を防止する美容マスクに関する。
【背景技術】
【０００２】
近年老化に関して関心が高くなり、顔にできる皺やたるみの改善を試みるためエステティックサロンやマッサージクリームを使用して自分でマッサージする方法が試みられていたり、使い捨てのパックなどが使われていた。しかし、いずれも高価で而も長期間の使用に耐えれなかった。
【０００３】
そこで下記非特許文献１が存在するが、頬部を２方向から持ち上げることで安定して頬骨付近にたるみを持ち上げ、同時に口元の皺を伸ばして頬部に接する素材でパックもでき而も洗えば何度も使用が可能であるが、目尻の皺やたるみに関して改善が施されていなかった。
【先行技術文献】
【非特許文献】
【０００４】
【非特許文献１】フェイストライ（登録商標）  製造元ANZクリエイティブ
【考案の概要】
【考案が解決しようとする課題】
【０００５】
非特許文献１は顎下や頬のたるみや皺を伸ばしながら同時に頬部の液体浸透防止素材によって化粧品を塗り口元の皺を伸ばしながらパックができるという利点があったが、目尻の皺やたるみを引き伸ばしながらパックする機能を施していなかった。
【課題を解決するための手段】
【０００６】
本考案は、伸縮性の材料にてシート状に形成さると共に、後頭部に巻きつける後頭部用留具と、鼻下から後頭部に位置する後頭部用帯部と、更に液体浸透防止素材にて形成された頬当部と、更に前記後頭部用留具と同様に伸縮性の材料にてシート状に形成され、且つ頭頂部に巻きつける頭頂部用留具と、顎下から頭頂部に位置する頭頂部用帯部と、前記頭頂部用帯部の目尻部において、前記頬当部と同様に液体浸透防止素材により凸状に形成された目尻当部を有し、且つ前記頭頂部用帯部をV字状に形成すると共に、前記後頭部用帯部と頬当部付近にて接合したマスク本体とで成したことを特徴としたものである。
【考案の効果】
【０００７】
請求項１により、顎下から頬部の皺やたるみを引き上げると同時に目尻の皺やたるみも引き上げることで一直線上にスムーズに全体を引き上げることができる。
請求項2により、マスク本体の両端を簡単に着脱でき、且つ嵩張らない。
【図面の簡単な説明】
【０００８】
【図１】美容マスク正面図
【図２】美容マスク側面図
【図３】装着初期の正面図
【図４】装着中期の正面図
【図５】装着完了の正面図
【図６】使用状態図
【考案を実施するための形態】
【０００９】
以下本考案を実施として掲げた図面に基づいて説明すると、図１は美容マスクの正面図を示し、マスク本体Ｍは、後頭部用帯部１と頭頂部用帯部２とで構成されている。而して、具体的には後頭部用帯部１は化学繊維、不織布、合成樹脂等の伸縮性の材料にて後頭部Ｈaに巻回される後頭部用帯部１を形成している。この後頭部用帯部１の両端には互に結着される留具３Ａを備えている。而してこの留具３Ａは面ファスナーとしているが、勿論、ホックとしてもよい。
更に後頭部用帯部１の中央には頬当部４を一定間隔に介して備えている。
この頬当部４は化学繊維、合成樹脂等の液体浸透防止素材にて形成し、例えば化粧水がマスク本体に浸透することを防ぎ、肌表面に湿布することを促す。
【００１０】
頭頂部Ｈｂに巻きつけられる頭頂部用帯部２には両端２ｂに留具３Ｂを設けている。而して、この頭頂部用帯部２は前記後頭部用帯部１と同様に化学繊維、不織布、合成樹脂等の伸縮性の材料にて形成されている。
又、前記頭頂部用帯部２は図１に示す如く、V字状に形成されその両端部２bを夫々を頬部Ｆｄに添わせて、その頭頂部Ｈｂにて結束する。この結束は留具３Ｂにて行う。而してV字状中ほどにて後頭部用帯部1の頬当部４付近で縫合されマスク本体Mとなしている。
更に頭頂部用帯部２の目尻部Ｆeには目尻当部５が設けられている。この目尻当部５は前記両頬当部４と同様に化学繊維、合成樹脂等の液体浸透防止素材にて凸状に形成されている。
【００１１】
特に、呼吸確保のため口部Ｆｂに対応した位置に呼吸孔Eを設けている。
更に図２に示す如く、上記頭頂部用帯部２の顎部Ｆｃに位置する。
頭頂部用帯部の顎下部２aは顎部Ｆcが違和感なく添わせられるような膨らみ状に形成されている。
【００１２】
次に本考案美容マスクの使用順序を説明すると、図３は前記マスク本体Ｍを顔Fに添わせてた初期状態を示し、顎部Ｆｃを頭頂部用帯部の顎下部２aに添わせると共に、呼吸孔Eに口部Ｆｂを位置させ、更に頬部Ｆｄに頬当部４を添わせた状態とする。
続いて、図４に示すごとく、後頭部用帯部１の両端を引っ張り、後頭部Ｈaにて両端部２bに設けた後頭部用留具３Ａを相互に結着し、図５に示すごとく、頭頂部用帯部２の目尻当部５を目尻部Ｆeに添わせる。その後、両端を頭頂部Ｈｂへ引き上げると共に頭頂部Ｈｂで両端に設けた頭頂部用留具３Ｂを相互に結着して装着を完了する。
而して、図６は上記美容マスクを着用した時の使用状態を示している。
【符号の説明】
【００１３】
Ｍ    マスク本体
１    後頭部用帯部
１a   鼻下部
２    頭頂部用帯部
２a  頭頂部用帯部の顎下部
２b  頭頂部用帯部の両端部
３A  後頭部用留具
３B  頭頂部用留具
４    頬当部
５    目尻当部
Ｈa  後頭部
Ｈb  頭頂部
Ｆ   顔
Ｆa  鼻部
Ｆb  口部
Ｆc  顎部
Ｆd  頬部
Ｆe  目尻部
E    呼吸孔
【図１】
0003158336.tif 000003
【図２】
0003158336.tif 000004
【図３】
0003158336.tif 000005
【図４】
0003158336.tif 000006
【図５】
0003158336.tif 000007
【図６】
0003158336.tif 000008